(57)【要約】本発明の光学的データ記録方法は、ユーザデータを複数のセクタからなるブロックに分割し、ブロックごとにエラー訂正符号を付与して、光学的に光ディスクへ記録するものであり、第１のコンテンツを構成するデータ含む第１データを光ディスクのトラックに記録するステップと、前記第１データが記録された領域との間にデータが記録されていない未記録領域が形成されるように第２のコンテンツを構成するデータを含む第２データを前記トラックに追記するステップとを包含する。
2004095437.tif 000002
【特許請求の範囲】
【請求項１】
ユーザデータを複数のセクタからなるブロックに分割し、ブロックごとにエラー訂正符号を付与して、光学的に光ディスクへ記録する光学的データ記録方法であって、
第１のコンテンツを構成するデータ含む第１データを光ディスクのトラックに記録するステップと、
前記第１データが記録された領域との間にデータが記録されていない未記録領域が形成されるように第２のコンテンツを構成するデータを含む第２データを前記トラックに追記するステップと、
を包含する光学的データ記録方法。
【請求項２】
前記光ディスクのトラックは、アドレスを規定したプレピット領域を含んでいない請求項１に記載の光学的データ記録方法。
【請求項３】
前記未記録領域は少なくとも１セクタ以上の長さを有する請求項１または２に記載の光学的データ記録方法。
【請求項４】
第１のコンテンツを構成するデータの終端部および前記第２のコンテンツを構成するデータの始端部の少なくとも一方にダミーデータを含む請求項１から３のいずれかに記載の光学的データ記録方法。
【請求項５】
前記第１データは、前記第１のコンテンツ構成するデータの後にダミーデータを含む請求項１から３のいずれかに記載の光学的データ記録方法。
【請求項６】
前記第２データは、前記第２のコンテンツ構成するデータの前にダミーデータを含む請求項１から３のいずれかに記載の光学的データ記録方法。
【請求項７】
前記第１のコンテンツを構成するデータが記録された領域と前記第２のコンテンツを構成するデータが記録された領域とは１ブロックに相当する長さで隔てられている請求項５または６に記載の光学的データ記録方法。
【請求項８】
前記第１データおよび第２データは、長さの等しいつなぎ領域でそれぞれ隔てられた複数のセクタに分割されており、前記前記第１のコンテンツを構成するデータが記録された領域と前記第２のコンテンツを構成するデータが記録された領域とは、つなぎ領域に相当する長さで隔てられている請求項５または６に記載の光学的データ記録方法。
【請求項９】
前記ダミーデータは同期引き込みパターンを構成している請求項４から８のいずれかに記載の光学的データ記録方法。
【請求項１０】
前記第１または第２データを記録する際、前記未記録領域に消去パワーの光を照射する請求項１に記載の光学的データ記録方法。
【請求項１１】
請求項１から１０のいずれかの光学的光学的データ記録方法に記載された各ステップをコンピュータに実行させるためのプログラムを記録したコンピュータ読み取り可能な記録媒体。
【請求項１２】
ユーザデータを複数のセクタからなるブロックに分割し、ブロックごとにエラー訂正符号を付与して、光学的に光ディスクへ記録する光ディスク装置であって、
光ディスクを回転駆動するためのモータと、
光ディスクにデータを記録するための光ビームを照射する光ヘッドと、
前記モータの回転速度および前記光ビームの位置を制御するサーボ制御部と、
前光ビームの強度を制御する光ビーム制御部と、
を備え、
前記サーボ制御部および光ビーム制御部は、第１のコンテンツを構成するデータ含む第１データが記録された光ディスクのトラックに、前記第１データが記録された領域との間にデータが記録されていない未記録領域が形成されるように第２のコンテンツを構成するデータを含む第２データを前記トラックに追記するよう前記光ディスクおよび光ビームを制御する光ディスク装置。
【請求項１３】
前記光ディスクのトラックは、アドレスを規定したプレピット領域を含んでいない請求項１２に記載の光ディスク装置。
【請求項１４】
前記未記録領域は少なくとも１セクタ以上の長さを有する請求項１２または１３に記載の光ディスク装置。
【請求項１５】
ユーザデータが複数のセクタからなるブロックに分割され、ブロックごとにエラー訂正符号が付与され、トラックに光学的に記録された光ディスクであって、第１のコンテンツを構成するデータ含む第１データが記録された領域と第２のコンテンツを構成するデータを含む第２データが追記された領域との間に、データが記録されていない未記録領域が形成されている光ディスク。
【請求項１６】
前記トラックは、アドレスを規定したプレピット領域を含んでいない請求項１５に記載の光ディスク。
【請求項１７】
前記未記録領域は少なくとも１セクタ以上の長さを有する請求項１５または１６に記載の光ディスク。
【発明の詳細な説明】
【技術分野】  本発明は、レーザ光を光ディスクに照射することにより、光ディスクにデータの記録を行う光学的データ記録方法および光ディスク装置に関する。
【背景技術】  映像データなどの膨大な量のデータを記録する媒体として、記録型光ディスクが注目されており、より高画質の映像をより長い時間、記録することができるよう、記録型光ディスクの容量を増大させる開発が進められている。
記録型光ディスクには、複数回書き換えが可能なタイプ（以下、書き換え型光ディスクと呼ぶ）と、追記は可能であるが、一度のみデータを書き込むことのできるタイプ（以下、追記型光ディスクと呼ぶ）がある。
図１Ａは従来の追記型光ディスクの構造を模式的に示している。光ディスク６０１はらせん状に形成されたトラック６０２を含み、トラック６０２に、記録すべきデータを変調して得られる記録マーク６０４を書き込む。たとえば、記録すべき第１のコンテンツ６０３を構成するデータを変調し、記録マーク６０４を光ディスク６０１に記録する。
第１のコンテンツ６０３を記録したあと、未記録領域が残っている場合には、さらにデータを光ディスク６０１に追記することが可能である。データを追記する場合、第１のコンテンツ６０３を構成する記録マークと追記するコンテンツを構成する記録マークとの間には未記録領域が生じないようにする必要がある。これは、トラック上の記録マークを連続させ、記録したデータを正しく再生させるためである。ここで、未記録領域とは、記録すべきデータを変調して得られるマークおよびスペースの最長のものよりも長い領域に渡って、記録マークが形成されていない領域を言う。
従来の第１の記録方法では、追記領域と既に記録した領域との間に未記録領域が生じることを確実に防止するため、図１Ｂに示すように、第１のコンテンツ６０３を構成する記録マーク６０４の終端部分に第２のコンテンツ６０５を構成する記録データ６０６の先端部分が重なるように記録を行う。図１Ｂに示すように、領域６０７では記録マークが重なっており、正しいマーク形状とならないため、領域６０７にはダミーデータなどが書き込まれる。
また、従来の第２の記録方法では、図１Ｃに示すように、第１のコンテンツ６０３を構成する記録マーク６０４の終端とに第２のコンテンツ６０５を構成する記録データ６０６の先端との間に未記録領域が生じないように２つの記録マーク連続させて記録を行う。
しかし、第１の方法では、領域６０７に記録マークが２度書き込まれるため、領域６０７の部分においてレーザ照射量が過大となることによるトラックのダメージが生じる。その結果、記録された光ディスクを再生する際、フォーカスサーボやトラッキングサーボが不安定になるという問題があった。特に、第１のコンテンツと第２のコンテンツとで記録装置が異なる場合、記録条件が異なることによりトラックのダメージが大きくなることがあった。
また、第２の方法では、第２のコンテンツを構成する記録マークを第１のコンテンツを構成する記録マークに隣接して記録するため、第２のコンテンツを書き込む際、記録マーク６０４のうちの端部６０９が記録マーク６０６を形成する際の熱的影響を受ける。その結果、端部６０９の記録マークが変形したり、破壊されたりしてしまうという問題があった。
光ディスクの記録密度が高まると、トラックピッチやトラック幅も狭くなる。このため、このような問題がより発生しやすくなる可能性がある。
【発明の開示】
本発明は、上記課題の少なくとも１つを解決し、追記を行っても安定して再生を行うことのできる光学的データ記録方法および光ディスク装置を提供することを目的としている。
本発明の光学的データ記録方法は、ユーザデータを複数のセクタからなるブロックに分割し、ブロックごとにエラー訂正符号を付与して、光学的に光ディスクへ記録するものであり、第１のコンテンツを構成するデータ含む第１データを光ディスクのトラックに記録するステップと、前記第１データが記録された領域との間にデータが記録されていない未記録領域が形成されるように第２のコンテンツを構成するデータを含む第２データを前記トラックに追記するステップとを包含する。
ある好ましい実施形態において、前記光ディスクのトラックは、アドレスを規定したプレピット領域を含んでいない。
ある好ましい実施形態において、前記未記録領域は少なくとも１セクタ以上の長さを有する。
ある好ましい実施形態において、第１のコンテンツを構成するデータの終端部および前記第２のコンテンツを構成するデータの始端部の少なくとも一方にダミーデータを含む。
ある好ましい実施形態において、前記第１データは、前記第１のコンテンツ構成するデータの後にダミーデータを含む。
ある好ましい実施形態において、前記第２データは、前記第２のコンテンツ構成するデータの前にダミーデータを含む。
ある好ましい実施形態において、前記第１のコンテンツを構成するデータが記録された領域と前記第２のコンテンツを構成するデータが記録された領域とは１ブロックに相当する長さで隔てられている。
ある好ましい実施形態において、前記第１データおよび第２データは、長さの等しいつなぎ領域でそれぞれ隔てられた複数のセクタに分割されており、前記前記第１のコンテンツを構成するデータが記録された領域と前記第２のコンテンツを構成するデータが記録された領域とは、つなぎ領域に相当する長さで隔てられている。
ある好ましい実施形態において、前記ダミーデータは同期引き込みパターンを構成している。
ある好ましい実施形態において、前記第１または第２データを記録する際、前記未記録領域に消去パワーの光を照射する。
本発明のコンピュータ読み取り可能な記録媒体は、上記いずれかの光学的光学的データ記録方法に記載された各ステップをコンピュータに実行させるためのプログラムを記録している。
本発明の光ディスク装置は、ユーザデータを複数のセクタからなるブロックに分割し、ブロックごとにエラー訂正符号を付与して、光学的に光ディスクへ記録する装置であって、光ディスクを回転駆動するためのモータと、光ディスクにデータを記録するための光ビームを照射する光ヘッドと、前記モータの回転速度および前記光ビームの位置を制御するサーボ制御部と、前記光ビームの強度を制御する光ビーム制御部とを備え、前記サーボ制御部および光ビーム制御部は、第１のコンテンツを構成するデータ含む第１データが記録された光ディスクのトラックに、前記第１データが記録された領域との間にデータが記録されていない未記録領域が形成されるように第２のコンテンツを構成するデータを含む第２データを前記トラックに追記するよう前記光ディスクおよび光ビームを制御する。
ある好ましい実施形態において、前記光ディスクのトラックは、アドレスを規定したプレピット領域を含んでいない。
ある好ましい実施形態において、前記未記録領域は少なくとも１セクタ以上の長さを有する。
本発明の光ディスクは、ユーザデータが複数のセクタからなるブロックに分割され、ブロックごとにエラー訂正符号が付与され、トラックに光学的に記録された光ディスクであって、第１のコンテンツを構成するデータ含む第１データが記録された領域と第２のコンテンツを構成するデータを含む第２データが追記された領域との間に、データが記録されていない未記録領域が形成されている。
ある好ましい実施形態において、前記トラックは、アドレスを規定したプレピット領域を含んでいない。
ある好ましい実施形態において、前記未記録領域は少なくとも１セクタ以上の長さを有する。
【図面の簡単な説明】  図１Ａ、１Ｂおよび１Ｃは、従来の光ディスクにデータを追記する方法を説明する模式図である。
図２は、本発明による光ディスク装置の実施形態を説明するブロック図である。
図３Ａおよび３Ｂは本発明による記録方法の第１の実施形態を説明する模式図である。
図４は、光ディスクに記録されるデータ構造を示す模式図である。
図５は、光ディスクに記録されるデータ構造の他の例を示す模式図である。
図６は、光ディスクに記録されるデータ構造の他の例を示す模式図である。
図７Ａおよび７Ｂは本発明による記録方法の第１の実施形態を説明する模式図である。
【発明を実施するための最良の形態】  （第１の実施形態）
本発明による光ディスク装置および光学的データ記録方法の第１の実施形態を説明する。本発明は、赤外線、可視光、紫外線など種々の波長（たとえば、８３０ｎｍ〜６３５ｎｍ、４０５ｎｍなど）の光を用いて、記録層を有する光ディスクに光を照射し、光が照射された領域の反射率を変化させることによって、記録マークを形成する光ディスク装置および光学的データ記録方法に適用することができる。
図２は本実施形態による光ディスク装置３００の構造を示すブロック図である。光ディスクドライブ３００は、スピンドルモータ３０２、光ヘッド３０３、光ビーム制御部３０４、サーボ制御部３０５、再生二値化部３０６、デジタル信号処理部３０７、記録補償部３０８およびＣＰＵ３０９を備えている。
スピンドルモータ３０２はサーボ制御部３０５の制御により、所定の回転速度で光ディスク１０１を回転駆動する。
サーボ制御部３０５は、光ヘッド３０３から照射する光が、光ディスク１０１に設けられたトラックを追随し、トラック上において所定の集光状態を維持するように、トラッキング制御およびフォーカス制御を制御する。
光ヘッド３０３は、再生時には、光ビームを光ディスク１０１に照射するとともに、光ディスク１０１から得られる反射光を電気的信号に変換して再生信号として出力する。再生二値化部３０６は、光ヘッド３０３より得られた再生信号を増幅し、二値化処理を行って、二値化信号を生成する。また内部のＰＬＬ（図示せず）により、二値化信号に同期したクロックを生成する。
デジタル信号処理部３０７は、二値化信号を処理する。二値化信号にアドレス情報が含まれる場合には、二値化信号に所定の復調処理をおこなうことによってアドレスを抽出する。二値化信号にユーザデータが含まれる場合には二値化信号に所定の復調処理およびエラー訂正処理を行い、再生データを生成する。得られたアドレス情報および再生データはホストＰＣ３１０へ出力される。
光ディスク１０１にデータを記録する場合には、デジタル信号処理部３０７は、記録すべきデータをホストＰＣ３１０から受け取る。デジタル信号処理部３０７は受け取った記録データにエラー訂正符号を付加し、所定の変調処理を施して変調データを生成する。
生成した変調データは、記録補償部３０８においてパルス列から構成される光変調データに変換される。また光変調データのパルス幅等を微調整し、記録マークの形成に適した記録パルス信号に変換する。
光ビーム制御部３０４は、ＣＰＵ３０９の指示に基づいて記録パルス信号に対応する光ビームが出力されるよう、光ヘッド３０３を制御する。このとき、光ビームが光ディスクの所定の位置に照射されるようにＣＰＵ３０９は、サーボ制御部３０５に指令して、光ヘッド３０３から射出する光ビームの位置や光ディスクの回転速度を制御する。
ホストＰＣ３１０は、コンピュータ（図示せず）、アプリケーション（図示せず）、オペレーティングシステム（図示せず）などで構成され、光ディスクドライブ３００に対して記録あるいは再生を行うよう指令する。
光ディスク装置３００は、第１のコンテンツを構成するデータ含む第１データが記録された光ディスクのトラックに、第２のコンテンツを構成するデータを含む第２データを追記する場合、第１データが記録された領域との間にデータが記録されていない未記録領域が形成されるように第２データを追記する。以下、光ディスク装置３００における光学的データ記録方法を詳細に説明する。
図３Ａは、第１のコンテンツ１０３が記録された光ディスク１０１の構造を模式的に示している。光ディスク１０１は、記録すべきデータを構成する記録マークが形成されるらせん状のトラック１０２を含んでいる。光ディスク１０１は追記型である。ここで、追記とは、未記録領域に一度だけデータを記録することが可能であり、未記録領域が残っている限り、その未記録領域への記録は複数回に分けて行うことができることを言う。つまり、ディスク全体を一度に記録する必要はない。
トラック１０２には、第１のコンテンツ１０３を構成するデータによる記録マーク１０４が既に形成されている。トラック１０２において、記録マーク１０４の終端から記録方向に向かって、記録マークが形成されていない未記録領域１０８が残されている。以下、本願明細書では、記録マークをトラック上に形成することによってデータがトラック上に記録されるので、「記録マークの形成」と「データの記録」と同義的意味に用いる。
光ディスク１０１の最内周には情報記録管理領域１１０が設けられている。情報管理領域１１０は、記録時のレーザパワーを校正するためのパワーキャリブレーション領域、記録領域を管理するための記録マネージメント領域を含む。
この状態の光ディスク１０１に第２のコンテンツ１０５を追記する場合、図３Ｂに構成するように、第１のコンテンツ１０３を構成する記録マーク１０４の終端と第２のコンテンツ１０５の始端との間に記録マーク１０９が形成されていない未記録領域１０９を設ける。なお、図はトラックの構造を模式的に示しており、記録マークの大きさと未記録領域１０９の大きさを正しく示してはいない。
このように、未記録領域１０９を設けることにより、第１のコンテンツ１０３を構成する記録マーク１０４と第２のコンテンツ１０５を構成する記録マーク１０６とが重ならず、過大な光照射量によるトラックの変形などを防止することができる。したがって、境界部分でのサーボ動作が不安定となることはなく、安定に記録再生を行うことができる。
第１のコンテンツ１０３のデータを記録する領域内および第２のコンテンツ１０５のデータを記録する領域内では、記録マーク１０４および記録マーク１０６は、それぞれ、連続して形成されていることが好ましい。このようにすることによって未記録領域はコンテンツ間のつなぎ目であることを示すこととなり、光ディスク１０１を再生する場合にコンテンツの切れ目を速やかに検出することができる。
図４は、光ディスク１０１に記録されるトラック１０２上の第１のコンテンツ１０３、第２のコンテンツ１０５および未記録領域２１５の構造を模式的に示している。トラック１０２へのデータの記録はセクタ単位で行われ、複数のセクタからなるブロックごとにエラー訂正処理が施される。また、トラック１０２上における相対位置を示すアドレス情報もブロックごとに付与される。
アドレス情報は、データとして記録マークにより形成されていてよいし、トラックのウォブルに重畳されていてもよい。しかし、ＤＶＤ−ＲＡＭのようにアドレスがあらかじめプレピットにより形成されたヘッダ領域を各セクタは含んでいないことが好ましい。このようなヘッダ領域には通常データを書き込むことができないため、各セクタは実質的にヘッダ領域によって分離される結果、上述したように未記録領域を設けなくても、トラックの変形や記録マークの変形による問題は生じないからである。
第１のコンテンツ１０３はセクタ２０２−２０５を含むブロック２１４によって終了し、第２のコンテンツ１０５はセクタ２１０−２１３を含むブロック２１６から開始している。未記録領域１０９は好ましくは、ブロック単位で形成されていることが好ましく、たとえば、１つのブロック２１５を含んでいる。このブロック２１５には、セクタ２０６−２０９が含まれている。ブロック２１５には記録マークが形成されていないため、実際には、セクタ２０６−２０９を区別することはできないが、セクタ２０６−２０９に対応するデータを記録するべき長さの領域がトラック１０２に沿って確保されている。
次に図２および図４を参照しながら光ディスク装置３００の記録および再生動作を説明する。以下で説明する手順で光ディスク装置３００の各部をＣＰＵ３０９が制御するためのプログラムやファームウエアは、図示しないＥＥＰＲＯＭやＲＯＭ、ＲＡＭ、ハードディスク、磁気記録媒体などのコンピータ読み取りが可能な記録媒体に保存されている。
まず、光ディスク１０１に、従来の方法によって、第１のコンテンツを構成する記録マークをトラック１０２上に形成する。第１のコンテンツを記録する際には、情報管理領域１１０において、レーザパワーの校正がなされている。また、第１のコンテンツの記録が終了した後、第１のコンテンツの終了アドレスなどの情報が情報管理領域１１０に記録されていてもよい。
次に第２のコンテンツを光ディスク１０１に記録する。第２のコンテンツを記録する光ディスク装置３００は、第１のコンテンツを記録する光ディスク装置３００と異なっていてもよいし、同じでもよい。
ホストＰＣ３１０よりＣＰＵ３０９に対して、第２のコンテンツを記録するよう要求がなされると、サーボ制御部３０５は、光ヘッド３０３を要求のあったアドレスを有するセクタ付近にまで移動させる。この際、第１のコンテンツを記録した光ディスク装置と第２のコンテンツを記録する光ディスク装置が異なる場合には、第２のコンテンツを記録する前に、情報管理領域１１０において、レーザパワーの校正を行う。
一方、デジタル信号処理部３０７は第２のコンテンツを変調し、記録補償部３０８が、適切な記録マークとなるよう変調されたパルス信号の幅や位置を微調整する。第２のコンテンツを記録するためには記録を開始すべき位置を正確に知る必要がある。このために光ディスク１０１に光を照射し、光ヘッド３０３および再生二値化部３０６によって反射光から得られる二値化信号を用いて第１のコンテンツが記録された領域のアドレスを取得する。より具体的には、アドレスリードの処理を開始し、セクタ２０２、２０３、２０４、２０５を再生して、ウォブル情報からブロックアドレスを確定する。これにより、第１のコンテンツ１０３が記録された最終ブロック２１４の位置が確定する。
ＣＰＵ３０９は、第１のコンテンツ１０３の最終ブロックの後に未記録領域１０９となるブロック２１５を未記録のまま確保し、ブロック２１５の後に続くブロック２１６から第２のコンテンツ１０５を構成する記録マークを形成するよう、ブロック２１５のアドレスリードを行い、ブロック２１６のセクタ２１０からデータの記録を開始する。
このとき光ヘッド３０３より出力される光ビームは、光ビーム制御部３０４によってＣＰＵ３０９の指示した所定量のパワー値に制御されている。また、記録補償部３０８で生成したデータに基づき、光ビームの照射パワーを変化させることによって、記録層の材料の光学特性を変化させ、所定の記録マークがトラック１０２上に形成される。セクタ２１０を記録した後、セクタ２１１、２１２、２１３を順に所定のデータを記録し、第２のコンテンツ１０５の記録が終了する。第２のコンテンツ１０５の記録が終了した後、第２のコンテンツ１０５のアドレスに関する情報を情報管理領域に書き込んでもよい。
光ディスク１０１を再生する場合、光ディスク装置３００は通常の再生専用光ディスクと同様に光ビームを照射し、光ディスクから得られる反射光による再生信号を光ヘッド３０３から得る。得られた再生信号は、再生二値化部３０６において、増幅、二値化処理され、二値化信号が生成される。このとき内部のＰＬＬ（図示せず）により、二値化信号に同期したクロックも生成される。
得られた二値化信号は、第１のコンテンツを構成するデータと第２のコンテンツを構成するデータとの間に、光ディスク１０１の未記録領域１０９に対応するデータのない部分が存在する。このため、通常の再生専用光ディスクと同様の信号処理により再生を行おうとした場合、未記録領域をリードアウト領域と判断し、第２のコンテンツを構成するデータを再生せずに、再生を終了する可能性がある。
このため、光ディスク装置３００は、第１のコンテンツが終了した後、ＰＬＬにより生成したクロックを利用して、第２のコンテンツを構成するデータが得られるまで同期引き込み状態を維持する。一般に光ディスク装置は、光ディスクに塵などが付着し、正常なデータが得られない場合、正常なデータを得るまで直前のデータを維持する機能を備えている。したがって、このような機能を調整し、未記録領域に対応する期間、直前のデータを維持するともに二値化信号の同期引き込み状態を維持することによって本発明の光ディスクを好適に再生することができる。
なお、上述の形態において、コンテンツを構成するブロックの先頭部分に同期引き込みパターンを形成してもよい。同期引き込みパターンが記録されていることにより、速やかにＰＬＬの同期引き込みを行うことができ、未記録領域を含んでいても安定して再生動作を行うことができる。
具体的には、図５に示すように、第１のコンテンツ１０３を構成するブロック４０１、２１４および第２のコンテンツ１０５を構成するブロック２１６、２０４、４０３の先頭部分に同期引き込みパターン４０４、４０５、４０７、４０８、４０９をそれぞれ設けてもよい。形成する同期引き込みのパターンは、たとえば４Ｔマークおよび４Ｔスペースの繰り返しや、３Ｔマークおよび３Ｔスペースの繰り返し、２Ｔマークおよび２Ｔスペースの繰り返し、５Ｔマークおよび５Ｔスペースの繰り返しなどから構成されるものを用いることができる。
このような同期引き込みのパターンを設けることによって、光ディスク装置３００は、第１のコンテンツ１０３のブロック２１４を構成するデータを再生した後、未記録領域２１５に対応する期間直前のデータを維持する。そして、第２のコンテンツ１０５のブロック２１６を構成するデータを再生する際には、先頭に同期引き込みパターン２１６が設けられているため、速やかに第２のコンテンツ１０５を構成するデータから得られる二値化信号の同期引き込みを行うことができる。
また、ブロック４０１、２１４、４０２、４０３に設けられた同期引き込みパターン４０４、４０５、４０８、４０９は、トラック１０２上の傷等によりＰＬＬの同期引き込みが不安定になった場合に同期引き込みパターンを用いて速やかに引き込みを安定な状態へ復帰させることができる。
さらに第１のコンテンツ１０３の最終ブロック２１４の末尾にも同期引き込みパターン４０６を設けてもよい。これにより、未記録領域であるブロック２１５の前後に同期引き込みパターン４０６および４０７が配置される。その結果、二値化信号において、ブロック２１５に対応する信号の得られない期間の前後に同期引き込み用の信号領域が配置され、二値化信号の安定性をより高めることができる。
なお各ブロックの先頭に設ける同期引き込みパターン４０４、４０５などと、第１のコンテンツの終わりに設けるパターン４０６と、コンテンツの始端に設ける同期引き込みパターン４０７とでパターンの長さは異なっていてもよい。特に、第２のコンテンツ１０５の始まりに設ける同期引き込みパターン４０７は、その前に未記録領があるため、他のブロックの同期引き込みパターンよりも長くすることが望ましい。
また第１のコンテンツ１０３の終わりに設けるパターンは同期引き込みパターン以外のパターンであってもよい。第２のコンテンツ１０３の終端に設けるパターンを他のパターンと異ならせることによって、第１のコンテンツの終了を光ディスク装置に認識させることができる。
これまで説明してきた光ディスクでは、１ブロック分の未記録領域を設けていたが、未記録領域は１ブロックよりも短くてもよい。図６に示すように、第１のコンテンツ１０３の最終ブロック２１４と第２のコンテンツ１０５の先頭ブロック２１６とに挟まれるブロック２１５は、未記録領域２２０と、任意のダミーデータを示す記録マークが書き込まれたダミーデータ領域５０１および５０２とを含んでいる。ダミーデータは、ユーザデータおよびアドレスデータ以外のデータである。ダミーデータ領域５０１は第１のコンテンツ１０３の最終ブロック２１４に隣接しており、ダミーデータ領域５０２は、第２のコンテンツ１０５の先頭ブロック２１５に隣接している。
ダミーデータ領域５０１および５０２を構成する記録マークの形成によって第１のコンテンツ１０３および第２のコンテンツ１０５を構成する記録マークに影響を与えないよう、ダミーデータ領域５０１の記録は第１のコンテンツ１０３の記録に続いて行われることが好ましい。また、第２のコンテンツ１０５を追記する際、第２のコンテンツ１０５の記録に先立ってダミー領域５０２を記録することが好ましい。
つまり、第１のコンテンツ１０３を構成するデータとダミーデータ領域５０１に書き込まれるダミーデータを含む第１データ５２５をまず一度にトラック１０２に記録する。次に、ダミーデータ領域５０２に書き込まれるダミーデータと第２のコンテンツ１０５を構成するデータとを含む第２のデータ５２６を第１のデータが記録された領域との間に未記録領域２２０が形成されるようにトラック１０２に一度に追記する。これにより、ダミーデータ領域５０１および５０２の形成が、第１のコンテンツ１０３および第２のコンテンツ１０５を構成する記録マークに悪影響を与えたり、記録マークが重ね書きされることによりトラックの形状に影響を及ぼすことが避けられる。
ダミーデータ領域５０１および５０２は、それぞれセクタ２０６および２０９の全体を占めていてもよいし、一部を占めていてもよい。また、少なくとも１セクタの未記録領域が残るのであれば、ダミー領域の長さは２セクタ以上であってもよい。また、ダミー領域５０１の記録終了位置およびダミー領域５０２の記録開始位置が重ならないのであれば、未記録領域２２０は１セクタ以下であってもよい。
なお、ダミーデータ領域５０１およびダミーデータ領域５０２は同じブロック２１５に含まれるが、ダミーデータ領域５０１のデータとダミーデータ領域５０２のデータとは異なるタイミングで記録される。このため、ダミーデータ領域５０２のデータを記録する場合には、まず、記録済みのダミーデータ領域５０１のデータを再生し、記録済みのダミーデータ領域５０１のデータおよびダミーデータ領域５０２のデータとをあわせてエラー訂正符号を付加することが好ましい。
ダミーデータ領域５０１および５０２を形成することよって、２つのコンテンツ間の未記録領域２２０を短くすることができ、より安定したＰＬＬ動作を維持することができる。ダミーデータとして同期引き込みパターンを用いてもよい。ＰＬＬの安定動作のためには第２のコンテンツ１０５に隣接するダミーデータ領域５０２の長さを５０１よりもダミーデータ領域５０１よりも長くすることが望ましい。
なお本実施の形態では、２つのコンテンツの間に未記録領域を設けるとしているが、未記録領域にマークが記録されないのであれば、再生に用いるパワーより大きなパワーで記録してもよく、例えば消去パワーによる記録がされていてもよい。
（第２の実施形態）
本発明による第２の実施形態を説明する。図７Ａおよび図７Ｂは、第１のコンテンツ６０３および第２のコンテンツ６０５が記録された光ディスクの構造を模式的に示している。第１の実施形態と同様この光ディスクは追記型であり、記録すべきデータを構成する記録マークが形成されるらせん状のトラック６０２を含んでいる。また、光ディスクの内周側には情報管理領域が設けられている。
第１のコンテンツ６０３および第２のコンテンツ６０５はそれぞれ複数のブロックから構成され、各ブロックはさらに複数のセクタを含んでいる。また、各セクタの間には長さの等しいつなぎ領域がそれぞれ形成されている。
たとえば、第１のコンテンツ６０３および第２のコンテンツ６０５はそれぞれ、セクタ７０２〜７０５および７０６〜７０９を含み、セクタ７０４とセクタ７０５の間にはつなぎ領域７１２が形成されており、ブロック７０６とブロック７０７との間には、つなぎ領域７１６が形成されている。
第１のコンテンツ６０３の最終ブロック７１０と第２のコンテンツ６０５の先頭ブロック７１１との間、つまり、セクタ７０５とセクタ７０６との間にはつなぎ領域７１７が設けられている。
第１のコンテンツ６０３および第２のコンテンツ６０５に含まれるつなぎ領域には所定の信号が記録されている。たとえば、同期引き込みのための信号が記録されている。一方、第１のコンテンツ６０３と第２のコンテンツ６０５との間に位置するつなぎ領域７１７は、所定ダミーデータが記録されたダミーデータ領域７１３および７１５とダミーデータ領域７１３および７１５に挟まれた未記録領域７１４とを含んでいる。
ダミーデータ領域７１３は第１のコンテンツ６０３のセクタ７０５に隣接し、ダミーデータ領域７１５は第２のコンテンツ６０５のセクタ７０６に隣接している。ダミーデータ領域７１３および７１５には、単一周波数による繰り返しパターンや特性周期の繰り返しパターン、ユーザデータの記録には用いられないパターンなどユーザデータと区別することができ、検出が容易なデータが記録されていることが好ましい。検出が容易なデータをダミーデータ領域７１３および７１５に記録することにより容易に第１のコンテンツ６０３と第２のコンテンツ６０５との境界を見つけることができる。
このように、未記録領域７１４を設けることにより、第１のコンテンツ６０３を構成する記録マークと第２のコンテンツ６０５を構成する記録マークとが重ならず、過大な光照射量によるトラックの変形などを防止することができる。したがって、境界部分でのサーボ動作が不安定となることはなく、安定に記録再生を行うことができる。
ダミーデータ領域７１５に記録されるデータは同期引き込みのためのパターンであってもよい。これにより、第２のコンテンツに対応する信号を再生する際、同期引き込みのためのパターンを用いてＰＬＬの同期引き込みを行うことができ、安定して第２のコンテンツの再生を行うことができる。
また、ダミーデータ領域７１３とダミーデータ領域７１５とに記録される信号は異なっていてもよい。これにより、第１のコンテンツ６０３と第２のコンテンツ６０５との境界を見つけることができる。また、ダミーデータ領域７１３および７１５と未記録領域との両方を検出することによって、光ディスクに付着した埃などによる信号の欠落と２つのコンテンツの境目にある未記録領域とを区別することができる。
また、ダミーデータ領域７１３とダミーデータ領域７１５とに記録される信号の長さは異なっていてもよい。異なる長さにすることによって、ユーザデータにダミーデータ領域７１３またはダミーデータ領域７１５に記録された信号と同じ信号が含まれている場合でも、ダミーデータ領域７１３とダミーデータ領域７１５とに記録される信号の長さの違いから２つのコンテンツの境目と判断することができる。
なお、ダミーデータ領域７１５に記録されるデータには同期引き込みパターンが含まれる場合には、ダミーデータ領域７１５に記録される信号をダミーデータ領域７１３よりも長くすることが好ましい。このようにすることによって、第２のコンテンツに対応する信号を再生する際、同期引き込みのためのパターンを用いてＰＬＬの同期引き込みを行うことができ、安定して第２のコンテンツの再生を行うことができる。
本実施形態の記録方法は、第１の実施形態で説明した光ディスク装置３００を用いて行うことができる。以下、図２、図７Ａおよび図７Ｂを参照しながら光ディスク装置３００による記録および再生動作を説明する。
まず、第１のコンテンツ６０３を構成するデータとダミーデータ領域７１３に記録されるダミーデータとを含む第１データ７２５を光ディスクのトラック６０２に記録する。具体的には、第１のコンテンツ６０３を構成するデータを記録し、続けて、ダミーデータ領域７１３を構成するデータを記録する。この際、情報管理領域においてレーザパワーの校正を行い、記録が開始される。第１のコンテンツ６０３の記録が終了した後、第１のコンテンツの終了アドレスなどの情報が情報管理領域に記録されていてもよい。
次にダミーデータ領域７１５に記録されるダミーデータと第２のコンテンツ６０５を構成するデータとを含む第２データ７２６を光ディスクのトラック６０２に記録する。ホストＰＣ３１０よりＣＰＵ３０９に対して、第２データを記録するよう要求がなされると、サーボ制御部３０５は、光ヘッド３０３を要求のあったアドレスを有するセクタ付近にまで移動させる。この際、第１のコンテンツ６０３を記録した光ディスク装置と第２のコンテンツ６０５を記録する光ディスク装置が異なる場合には、第２のコンテンツを記録する前に、情報管理領域１１０において、レーザパワーの校正を行う。
デジタル信号処理部３０７は第２データを変調し、記録補償部３０８は、適切な記録マークとなるよう変調されたパルス信号の幅や位置を微調整する。第２のコンテンツ６０５を含む第２データを記録するためには記録を開始すべき位置を正確に知る必要がある。このために光ディスクに光を照射し、光ヘッド３０３および再生二値化部３０６によって反射光から得られる二値化信号を用いて第１のコンテンツ６０３およびダミーデータ領域７１３が記録された領域のアドレスを取得する。より具体的には、アドレスリードの処理を開始し、セクタ７０２、７０３、７０４、７０５を再生して、ウォブル情報からブロックアドレスを確定する。これにより、第１のコンテンツ６０３が記録された最終ブロック７１０の位置が確定する。
ＣＰＵ３０９は、第１のコンテンツ６０３を記録する際形成したダミーデータ領域７１３の後に未記録領域７１４を未記録のまま確保し、つなぎ領域７１７内のダミーデータ領域７１５に記録マークを形成し、続いて、セクタ７０６からデータの記録を開始する。
このとき光ヘッド３０３より出力される光ビームは、光ビーム制御部３０４によってＣＰＵ３０９の指示した所定量のパワー値に制御されている。また、記録補償部３０８で生成したデータに基づき、光ビームの照射パワーを変化させることによって、記録層の材料の光学特性を変化させ、所定の記録マークがトラック６０２上に形成される。セクタ７０６を記録した後、つなぎ領域７１６を形成し、以降セクタ７０７、つなぎ領域７１６、セクタ７０７・・・の順に所定のデータを記録し、第２のコンテンツ１０５の記録が終了する。第２のコンテンツ１０５の記録が終了した後、第２のコンテンツ１０５のアドレスに関する情報を情報管理領域に書き込んでもよい。
光ディスク１０１を再生する場合には、光ディスク装置３００は通常の再生専用光ディスクと同様に光ビームを照射し、光ディスクから得られる反射光による再生信号を光ヘッド３０３から得る。得られた再生信号は、再生二値化部３０６において、増幅、二値化処理され、二値化信号が生成される。このとき内部のＰＬＬ（図示せず）により、二値化信号に同期したクロックも生成される。得られた二値化信号は、第１のコンテンツを構成するデータと第２のコンテンツを構成するデータとの間に、光ディスク１０１の未記録領域１０９に対応するデータのない部分が存在する。このため、通常の再生専用光ディスクと同様の信号処理により再生を行おうとした場合、未記録領域をリードアウト領域と判断し、第２のコンテンツを構成するデータを再生せずに、再生を終了する可能性がある。
このため、第１の実施形態と同様、第１のコンテンツが終了した後、ＰＬＬにより生成したクロックを利用して、第２のコンテンツを構成するデータが得られるまで同期引き込み状態を維持する。ダミー領域７１３および７１５に記録されたダミーデータが同期引き込みパターンである場合には、未記録領域７１４に対応する信号のない領域の前後に同期引き込み信号が存在するため、より安定して再生を行うことができる。
以上のように本実施形態によれば、連続する２つのコンテンツの間に未記録領域を設けることにより、追記したコンテンツを構成する記録マークを形成する際に照射される熱によって既に記録されていたコンテンツを構成する記録マークが変形したり、トラックが変形することを抑制することができる。このため、記録されたデータを安定して再生することができる。
特に２つのコンテンツを記録する装置が異なる場合であっても、記録マークが重ね書きされることにより加わる熱が著しく過大となりトラックの変形を引き起こすという問題が生じることが解消される。
本実施の形態の記録方法は、同じ領域に２度記録することを想定していない、もしくは、２度目の記録で必ずデータが破壊される追記型の光ディスクにおいて特に効果を有する。本記録方法によれば、同じ領域に２度記録されることがない。このため、追記における記録条件等に制限されることなく、記録条件を設定することができるため、光ディスクの記録層の設計の自由度を大きくすることができる。また日光ディスクを廃棄する際には、特にデータを重ね書きすることでサーボ動作を不安定にし、データを読み出せなくすることができる。これにより、機密を保持しながら廃棄することができる。
また、コンテンツ内の先頭ブロックもしくは最終ブロックを除けば、未記録領域と隣接するブロックは生じない。このため、コンテンツの切れ目を簡単に検出することができる。
また、未記録の領域を含むブロックにユーザデータが記録されていることにより、より有効に記録領域を使うことができる。
また、未記録領域を含むブロックにダミーデータを記録することにより、未記録領域の長さを短くし、より安定したＰＬＬ動作を保持することができる。さらにダミーデータを同期引き込みパターンとすることにより、より安定したＰＬＬ動作を保持することができる。
なお上記実施形態では、連続する２つのコンテンツの間に未記録領域を設けるとしているが、未記録領域はコンテンツの間に限らず、異なる記録装置によって記録されたデータの境界や、同一の装置において異なる機会に記録されたデータの境界であっても同様の効果が得られる。
【産業上の利用可能性】  本発明は、種々の波長の光源を用いて記録を行う光ディスク装置に好適に用いることが可能であり、特に、追記型光ディスクに記録を行うことのできる光ディスク装置に適している。
2004095437.tif 000003
【図２】
2004095437.tif 000004
2004095437.tif 000005
【図４】
2004095437.tif 000006
【図５】
2004095437.tif 000007
【図６】
2004095437.tif 000008
2004095437.tif 000009
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
ユーザデータを複数のセクタからなるブロックに分割し、ブロックごとにエラー訂正符号を付与して、光学的に光ディスクへ記録する光学的データ記録方法であって、
第１のコンテンツを構成するデータを含む第１データを光ディスクのトラックに記録するステップと、
前記第１データが記録された領域との間にデータが記録されていない未記録領域が形成されるように第２のコンテンツを構成するデータを含む第２データを前記トラックに追記するステップと、
を包含する光学的データ記録方法。
【請求項２】
前記光ディスクのトラックは、アドレスを規定したプレピット領域を含んでいない請求項１に記載の光学的データ記録方法。
【請求項３】
前記未記録領域は少なくとも１セクタ以上の長さを有する請求項１または２に記載の光学的データ記録方法。
【請求項４】
第１のコンテンツを構成するデータの終端部および前記第２のコンテンツを構成するデータの始端部の少なくとも一方にダミーデータを含む請求項１から３のいずれかに記載の光学的データ記録方法。
【請求項５】
前記第１データは、前記第１のコンテンツを構成するデータの後にダミーデータを含む請求項１から３のいずれかに記載の光学的データ記録方法。
【請求項６】
前記第２データは、前記第２のコンテンツを構成するデータの前にダミーデータを含む請求項１から３のいずれかに記載の光学的データ記録方法。
【請求項７】
前記第１のコンテンツを構成するデータが記録された領域と前記第２のコンテンツを構成するデータが記録された領域とは１ブロックに相当する長さで隔てられている請求項５または６に記載の光学的データ記録方法。
【請求項８】
前記第１データおよび第２データは、長さの等しいつなぎ領域でそれぞれ隔てられた複数のセクタに分割されており、前記第１のコンテンツを構成するデータが記録された領域と前記第２のコンテンツを構成するデータが記録された領域とは、つなぎ領域に相当する長さで隔てられている請求項５または６に記載の光学的データ記録方法。
【請求項９】
前記ダミーデータは同期引き込みパターンを構成している請求項４から８のいずれかに記載の光学的データ記録方法。
【請求項１０】
前記第１または第２データを記録する際、前記未記録領域に消去パワーの光を照射する請求項１に記載の光学的データ記録方法。
【請求項１１】
請求項１から１０のいずれかの光学的データ記録方法に記載された各ステップをコンピュータに実行させるためのプログラムを記録したコンピュータ読み取り可能な記録媒体。
【請求項１２】
ユーザデータを複数のセクタからなるブロックに分割し、ブロックごとにエラー訂正符号を付与して、光学的に光ディスクへ記録する光ディスク装置であって、
光ディスクを回転駆動するためのモータと、
光ディスクにデータを記録するための光ビームを照射する光ヘッドと、
前記モータの回転速度および前記光ビームの位置を制御するサーボ制御部と、
前記光ビームの強度を制御する光ビーム制御部と、
を備え、
前記サーボ制御部および光ビーム制御部は、第１のコンテンツを構成するデータを含む第１データが記録された光ディスクのトラックに、前記第１データが記録された領域との間にデータが記録されていない未記録領域が形成されるように第２のコンテンツを構成するデータを含む第２データを前記トラックに追記するよう前記光ディスクおよび光ビームを制御する光ディスク装置。
【請求項１３】
前記光ディスクのトラックは、アドレスを規定したプレピット領域を含んでいない請求項１２に記載の光ディスク装置。
【請求項１４】
前記未記録領域は少なくとも１セクタ以上の長さを有する請求項１２または１３に記載の光ディスク装置。
【請求項１５】
ユーザデータが複数のセクタからなるブロックに分割され、ブロックごとにエラー訂正符号が付与され、トラックに光学的に記録された光ディスクであって、第１のコンテンツを構成するデータを含む第１データが記録された領域と第２のコンテンツを構成するデータを含む第２データが追記された領域との間に、データが記録されていない未記録領域が形成されている光ディスク。
【請求項１６】
前記トラックは、アドレスを規定したプレピット領域を含んでいない請求項１５に記載の光ディスク。
【請求項１７】
前記未記録領域は少なくとも１セクタ以上の長さを有する請求項１５または１６に記載の光ディスク。
【手続補正２】
【補正対象書類名】明細書
【補正対象項目名】全文
【補正方法】変更
【補正の内容】
【発明の詳細な説明】
【技術分野】
【０００１】
本発明は、レーザ光を光ディスクに照射することにより、光ディスクにデータの記録を行う光学的データ記録方法および光ディスク装置に関する。
【背景技術】
【０００２】
映像データなどの膨大な量のデータを記録する媒体として、記録型光ディスクが注目されており、より高画質の映像をより長い時間、記録することができるよう、記録型光ディスクの容量を増大させる開発が進められている。
【０００３】
記録型光ディスクには、複数回書き換えが可能なタイプ（以下、書き換え型光ディスクと呼ぶ）と、追記は可能であるが、一度のみデータを書き込むことのできるタイプ（以下、追記型光ディスクと呼ぶ）がある。
【０００４】
図１Ａは従来の追記型光ディスクの構造を模式的に示している。光ディスク６０１はらせん状に形成されたトラック６０２を含み、トラック６０２に、記録すべきデータを変調して得られる記録マーク６０４を書き込む。たとえば、記録すべき第１のコンテンツ６０３を構成するデータを変調し、記録マーク６０４を光ディスク６０１に記録する。
【０００５】
第１のコンテンツ６０３を記録したあと、未記録領域が残っている場合には、さらにデータを光ディスク６０１に追記することが可能である。データを追記する場合、第１のコンテンツ６０３を構成する記録マークと追記するコンテンツを構成する記録マークとの間には未記録領域が生じないようにする必要がある。これは、トラック上の記録マークを連続させ、記録したデータを正しく再生させるためである。ここで、未記録領域とは、記録すべきデータを変調して得られるマークおよびスペースの最長のものよりも長い領域に渡って、記録マークが形成されていない領域を言う。
【０００６】
従来の第１の記録方法では、追記領域と既に記録した領域との間に未記録領域が生じることを確実に防止するため、図１Ｂに示すように、第１のコンテンツ６０３を構成する記録マーク６０４の終端部分に第２のコンテンツ６０５を構成する記録データ６０６の先端部分が重なるように記録を行う。図１Ｂに示すように、領域６０７では記録マークが重なっており、正しいマーク形状とならないため、領域６０７にはダミーデータなどが書き込まれる。
【０００７】
また、従来の第２の記録方法では、図１Ｃに示すように、第１のコンテンツ６０３を構成する記録マーク６０４の終端とに第２のコンテンツ６０５を構成する記録データ６０６の先端との間に未記録領域が生じないように２つの記録マークを連続させて記録を行う。
【発明の開示】
【発明が解決しようとする課題】
【０００８】
しかし、第１の方法では、領域６０７に記録マークが２度書き込まれるため、領域６０７の部分においてレーザ照射量が過大となることによるトラックのダメージが生じる。その結果、記録された光ディスクを再生する際、フォーカスサーボやトラッキングサーボが不安定になるという問題があった。特に、第１のコンテンツと第２のコンテンツとで記録装置が異なる場合、記録条件が異なることによりトラックのダメージが大きくなることがあった。
【０００９】
また、第２の方法では、第２のコンテンツを構成する記録マークを第１のコンテンツを構成する記録マークに隣接して記録するため、第２のコンテンツを書き込む際、記録マーク６０４のうちの端部６０９が記録マーク６０６を形成する際の熱的影響を受ける。その結果、端部６０９の記録マークが変形したり、破壊されたりしてしまうという問題があった。
【００１０】
光ディスクの記録密度が高まると、トラックピッチやトラック幅も狭くなる。このため、このような問題がより発生しやすくなる可能性がある。
【００１１】
本発明は、上記課題の少なくとも１つを解決し、追記を行っても安定して再生を行うことのできる光学的データ記録方法および光ディスク装置を提供することを目的としている。
【課題を解決するための手段】
【００１２】
本発明の光学的データ記録方法は、ユーザデータを複数のセクタからなるブロックに分割し、ブロックごとにエラー訂正符号を付与して、光学的に光ディスクへ記録するものであり、第１のコンテンツを構成するデータを含む第１データを光ディスクのトラックに記録するステップと、前記第１データが記録された領域との間にデータが記録されていない未記録領域が形成されるように第２のコンテンツを構成するデータを含む第２データを前記トラックに追記するステップとを包含する。
【００１３】
ある好ましい実施形態において、前記光ディスクのトラックは、アドレスを規定したプレピット領域を含んでいない。
【００１４】
ある好ましい実施形態において、前記未記録領域は少なくとも１セクタ以上の長さを有する。
【００１５】
ある好ましい実施形態において、第１のコンテンツを構成するデータの終端部および前記第２のコンテンツを構成するデータの始端部の少なくとも一方にダミーデータを含む。
【００１６】
ある好ましい実施形態において、前記第１データは、前記第１のコンテンツを構成するデータの後にダミーデータを含む。
【００１７】
ある好ましい実施形態において、前記第２データは、前記第２のコンテンツを構成するデータの前にダミーデータを含む。
【００１８】
ある好ましい実施形態において、前記第１のコンテンツを構成するデータが記録された領域と前記第２のコンテンツを構成するデータが記録された領域とは１ブロックに相当する長さで隔てられている。
【００１９】
ある好ましい実施形態において、前記第１データおよび第２データは、長さの等しいつなぎ領域でそれぞれ隔てられた複数のセクタに分割されており、前記第１のコンテンツを構成するデータが記録された領域と前記第２のコンテンツを構成するデータが記録された領域とは、つなぎ領域に相当する長さで隔てられている。
【００２０】
ある好ましい実施形態において、前記ダミーデータは同期引き込みパターンを構成している。
【００２１】
ある好ましい実施形態において、前記第１または第２データを記録する際、前記未記録領域に消去パワーの光を照射する。
【００２２】
本発明のコンピュータ読み取り可能な記録媒体は、上記いずれかの光学的データ記録方法に記載された各ステップをコンピュータに実行させるためのプログラムを記録している。
【００２３】
本発明の光ディスク装置は、ユーザデータを複数のセクタからなるブロックに分割し、ブロックごとにエラー訂正符号を付与して、光学的に光ディスクへ記録する装置であって、光ディスクを回転駆動するためのモータと、光ディスクにデータを記録するための光ビームを照射する光ヘッドと、前記モータの回転速度および前記光ビームの位置を制御するサーボ制御部と、前記光ビームの強度を制御する光ビーム制御部とを備え、前記サーボ制御部および光ビーム制御部は、第１のコンテンツを構成するデータ含む第１データが記録された光ディスクのトラックに、前記第１データが記録された領域との間にデータが記録されていない未記録領域が形成されるように第２のコンテンツを構成するデータを含む第２データを前記トラックに追記するよう前記光ディスクおよび光ビームを制御する。
【００２４】
ある好ましい実施形態において、前記光ディスクのトラックは、アドレスを規定したプレピット領域を含んでいない。
【００２５】
ある好ましい実施形態において、前記未記録領域は少なくとも１セクタ以上の長さを有する。
【００２６】
本発明の光ディスクは、ユーザデータが複数のセクタからなるブロックに分割され、ブロックごとにエラー訂正符号が付与され、トラックに光学的に記録された光ディスクであって、第１のコンテンツを構成するデータを含む第１データが記録された領域と第２のコンテンツを構成するデータを含む第２データが追記された領域との間に、データが記録されていない未記録領域が形成されている。
【００２７】
ある好ましい実施形態において、前記トラックは、アドレスを規定したプレピット領域を含んでいない。
【００２８】
ある好ましい実施形態において、前記未記録領域は少なくとも１セクタ以上の長さを有する。
【発明の効果】
【００２９】
本発明は、種々の波長の光源を用いて記録を行う光ディスク装置に好適に用いることが可能であり、特に、追記型光ディスクに記録を行うことのできる光ディスク装置に適している。
【発明を実施するための最良の形態】
【００３０】
（第１の実施形態）
本発明による光ディスク装置および光学的データ記録方法の第１の実施形態を説明する。本発明は、赤外線、可視光、紫外線など種々の波長（たとえば、８３０ｎｍ〜６３５ｎｍ、４０５ｎｍなど）の光を用いて、記録層を有する光ディスクに光を照射し、光が照射された領域の反射率を変化させることによって、記録マークを形成する光ディスク装置および光学的データ記録方法に適用することができる。
【００３１】
図２は本実施形態による光ディスク装置３００の構造を示すブロック図である。光ディスクドライブ３００は、スピンドルモータ３０２、光ヘッド３０３、光ビーム制御部３０４、サーボ制御部３０５、再生二値化部３０６、デジタル信号処理部３０７、記録補償部３０８およびＣＰＵ３０９を備えている。
【００３２】
スピンドルモータ３０２はサーボ制御部３０５の制御により、所定の回転速度で光ディスク１０１を回転駆動する。
【００３３】
サーボ制御部３０５は、光ヘッド３０３から照射する光が、光ディスク１０１に設けられたトラックを追随し、トラック上において所定の集光状態を維持するように、トラッキング制御およびフォーカス制御を制御する。
【００３４】
光ヘッド３０３は、再生時には、光ビームを光ディスク１０１に照射するとともに、光ディスク１０１から得られる反射光を電気的信号に変換して再生信号として出力する。再生二値化部３０６は、光ヘッド３０３より得られた再生信号を増幅し、二値化処理を行って、二値化信号を生成する。また内部のＰＬＬ（図示せず）により、二値化信号に同期したクロックを生成する。
【００３５】
デジタル信号処理部３０７は、二値化信号を処理する。二値化信号にアドレス情報が含まれる場合には、二値化信号に所定の復調処理をおこなうことによってアドレスを抽出する。二値化信号にユーザデータが含まれる場合には二値化信号に所定の復調処理およびエラー訂正処理を行い、再生データを生成する。得られたアドレス情報および再生データはホストＰＣ３１０へ出力される。
【００３６】
光ディスク１０１にデータを記録する場合には、デジタル信号処理部３０７は、記録すべきデータをホストＰＣ３１０から受け取る。デジタル信号処理部３０７は受け取った記録データにエラー訂正符号を付加し、所定の変調処理を施して変調データを生成する。
【００３７】
生成した変調データは、記録補償部３０８においてパルス列から構成される光変調データに変換される。また光変調データのパルス幅等を微調整し、記録マークの形成に適した記録パルス信号に変換する。
【００３８】
光ビーム制御部３０４は、ＣＰＵ３０９の指示に基づいて記録パルス信号に対応する光ビームが出力されるよう、光ヘッド３０３を制御する。このとき、光ビームが光ディスクの所定の位置に照射されるようにＣＰＵ３０９は、サーボ制御部３０５に指令して、光ヘッド３０３から射出する光ビームの位置や光ディスクの回転速度を制御する。
【００３９】
ホストＰＣ３１０は、コンピュータ（図示せず）、アプリケーション（図示せず）、オペレーティングシステム（図示せず）などで構成され、光ディスクドライブ３００に対して記録あるいは再生を行うよう指令する。
【００４０】
光ディスク装置３００は、第１のコンテンツを構成するデータを含む第１データが記録された光ディスクのトラックに、第２のコンテンツを構成するデータを含む第２データを追記する場合、第１データが記録された領域との間にデータが記録されていない未記録領域が形成されるように第２データを追記する。以下、光ディスク装置３００における光学的データ記録方法を詳細に説明する。
【００４１】
図３Ａは、第１のコンテンツ１０３が記録された光ディスク１０１の構造を模式的に示している。光ディスク１０１は、記録すべきデータを構成する記録マークが形成されるらせん状のトラック１０２を含んでいる。光ディスク１０１は追記型である。ここで、追記とは、未記録領域に一度だけデータを記録することが可能であり、未記録領域が残っている限り、その未記録領域への記録は複数回に分けて行うことができることを言う。つまり、ディスク全体を一度に記録する必要はない。
【００４２】
トラック１０２には、第１のコンテンツ１０３を構成するデータによる記録マーク１０４が既に形成されている。トラック１０２において、記録マーク１０４の終端から記録方向に向かって、記録マークが形成されていない未記録領域１０８が残されている。以下、本願明細書では、記録マークをトラック上に形成することによってデータがトラック上に記録されるので、「記録マークの形成」と「データの記録」と同義的意味に用いる。
【００４３】
光ディスク１０１の最内周には情報記録管理領域１１０が設けられている。情報管理領域１１０は、記録時のレーザパワーを校正するためのパワーキャリブレーション領域、記録領域を管理するための記録マネージメント領域を含む。
【００４４】
この状態の光ディスク１０１に第２のコンテンツ１０５を追記する場合、図３Ｂに構成するように、第１のコンテンツ１０３を構成する記録マーク１０４の終端と第２のコンテンツ１０５の始端との間に記録マーク１０９が形成されていない未記録領域１０９を設ける。なお、図はトラックの構造を模式的に示しており、記録マークの大きさと未記録領域１０９の大きさを正しく示してはいない。
【００４５】
このように、未記録領域１０９を設けることにより、第１のコンテンツ１０３を構成する記録マーク１０４と第２のコンテンツ１０５を構成する記録マーク１０６とが重ならず、過大な光照射量によるトラックの変形などを防止することができる。したがって、境界部分でのサーボ動作が不安定となることはなく、安定に記録再生を行うことができる。
【００４６】
第１のコンテンツ１０３のデータを記録する領域内および第２のコンテンツ１０５のデータを記録する領域内では、記録マーク１０４および記録マーク１０６は、それぞれ、連続して形成されていることが好ましい。このようにすることによって未記録領域はコンテンツ間のつなぎ目であることを示すこととなり、光ディスク１０１を再生する場合にコンテンツの切れ目を速やかに検出することができる。
【００４７】
図４は、光ディスク１０１に記録されるトラック１０２上の第１のコンテンツ１０３、第２のコンテンツ１０５および未記録領域２１５の構造を模式的に示している。トラック１０２へのデータの記録はセクタ単位で行われ、複数のセクタからなるブロックごとにエラー訂正処理が施される。また、トラック１０２上における相対位置を示すアドレス情報もブロックごとに付与される。
【００４８】
アドレス情報は、データとして記録マークにより形成されていてよいし、トラックのウォブルに重畳されていてもよい。しかし、ＤＶＤ−ＲＡＭのようにアドレスがあらかじめプレピットにより形成されたヘッダ領域を各セクタは含んでいないことが好ましい。このようなヘッダ領域には通常データを書き込むことができないため、各セクタは実質的にヘッダ領域によって分離される結果、上述したように未記録領域を設けなくても、トラックの変形や記録マークの変形による問題は生じないからである。
【００４９】
第１のコンテンツ１０３はセクタ２０２−２０５を含むブロック２１４によって終了し、第２のコンテンツ１０５はセクタ２１０−２１３を含むブロック２１６から開始している。未記録領域１０９は好ましくは、ブロック単位で形成されていることが好ましく、たとえば、１つのブロック２１５を含んでいる。このブロック２１５には、セクタ２０６−２０９が含まれている。ブロック２１５には記録マークが形成されていないため、実際には、セクタ２０６−２０９を区別することはできないが、セクタ２０６−２０９に対応するデータを記録するべき長さの領域がトラック１０２に沿って確保されている。
【００５０】
次に図２および図４を参照しながら光ディスク装置３００の記録および再生動作を説明する。以下で説明する手順で光ディスク装置３００の各部をＣＰＵ３０９が制御するためのプログラムやファームウエアは、図示しないＥＥＰＲＯＭやＲＯＭ、ＲＡＭ、ハードディスク、磁気記録媒体などのコンピュータ読み取りが可能な記録媒体に保存されている。
【００５１】
まず、光ディスク１０１に、従来の方法によって、第１のコンテンツを構成する記録マークをトラック１０２上に形成する。第１のコンテンツを記録する際には、情報管理領域１１０において、レーザパワーの校正がなされている。また、第１のコンテンツの記録が終了した後、第１のコンテンツの終了アドレスなどの情報が情報管理領域１１０に記録されていてもよい。
【００５２】
次に第２のコンテンツを光ディスク１０１に記録する。第２のコンテンツを記録する光ディスク装置３００は、第１のコンテンツを記録する光ディスク装置３００と異なっていてもよいし、同じでもよい。
【００５３】
ホストＰＣ３１０よりＣＰＵ３０９に対して、第２のコンテンツを記録するよう要求がなされると、サーボ制御部３０５は、光ヘッド３０３を要求のあったアドレスを有するセクタ付近にまで移動させる。この際、第１のコンテンツを記録した光ディスク装置と第２のコンテンツを記録する光ディスク装置が異なる場合には、第２のコンテンツを記録する前に、情報管理領域１１０において、レーザパワーの校正を行う。
【００５４】
一方、デジタル信号処理部３０７は第２のコンテンツを変調し、記録補償部３０８が、適切な記録マークとなるよう変調されたパルス信号の幅や位置を微調整する。第２のコンテンツを記録するためには記録を開始すべき位置を正確に知る必要がある。このために光ディスク１０１に光を照射し、光ヘッド３０３および再生二値化部３０６によって反射光から得られる二値化信号を用いて第１のコンテンツが記録された領域のアドレスを取得する。より具体的には、アドレスリードの処理を開始し、セクタ２０２、２０３、２０４、２０５を再生して、ウォブル情報からブロックアドレスを確定する。これにより、第１のコンテンツ１０３が記録された最終ブロック２１４の位置が確定する。
【００５５】
ＣＰＵ３０９は、第１のコンテンツ１０３の最終ブロックの後に未記録領域１０９となるブロック２１５を未記録のまま確保し、ブロック２１５の後に続くブロック２１６から第２のコンテンツ１０５を構成する記録マークを形成するよう、ブロック２１５のアドレスリードを行い、ブロック２１６のセクタ２１０からデータの記録を開始する。
【００５６】
このとき光ヘッド３０３より出力される光ビームは、光ビーム制御部３０４によってＣＰＵ３０９の指示した所定量のパワー値に制御されている。また、記録補償部３０８で生成したデータに基づき、光ビームの照射パワーを変化させることによって、記録層の材料の光学特性を変化させ、所定の記録マークがトラック１０２上に形成される。セクタ２１０を記録した後、セクタ２１１、２１２、２１３を順に所定のデータを記録し、第２のコンテンツ１０５の記録が終了する。第２のコンテンツ１０５の記録が終了した後、第２のコンテンツ１０５のアドレスに関する情報を情報管理領域に書き込んでもよい。
【００５７】
光ディスク１０１を再生する場合、光ディスク装置３００は通常の再生専用光ディスクと同様に光ビームを照射し、光ディスクから得られる反射光による再生信号を光ヘッド３０３から得る。得られた再生信号は、再生二値化部３０６において、増幅、二値化処理され、二値化信号が生成される。このとき内部のＰＬＬ（図示せず）により、二値化信号に同期したクロックも生成される。
【００５８】
得られた二値化信号は、第１のコンテンツを構成するデータと第２のコンテンツを構成するデータとの間に、光ディスク１０１の未記録領域１０９に対応するデータのない部分が存在する。このため、通常の再生専用光ディスクと同様の信号処理により再生を行おうとした場合、未記録領域をリードアウト領域と判断し、第２のコンテンツを構成するデータを再生せずに、再生を終了する可能性がある。
【００５９】
このため、光ディスク装置３００は、第１のコンテンツが終了した後、ＰＬＬにより生成したクロックを利用して、第２のコンテンツを構成するデータが得られるまで同期引き込み状態を維持する。一般に光ディスク装置は、光ディスクに塵などが付着し、正常なデータが得られない場合、正常なデータを得るまで直前のデータを維持する機能を備えている。したがって、このような機能を調整し、未記録領域に対応する期間、直前のデータを維持するともに二値化信号の同期引き込み状態を維持することによって本発明の光ディスクを好適に再生することができる。
【００６０】
なお、上述の形態において、コンテンツを構成するブロックの先頭部分に同期引き込みパターンを形成してもよい。同期引き込みパターンが記録されていることにより、速やかにＰＬＬの同期引き込みを行うことができ、未記録領域を含んでいても安定して再生動作を行うことができる。
【００６１】
具体的には、図５に示すように、第１のコンテンツ１０３を構成するブロック４０１、２１４および第２のコンテンツ１０５を構成するブロック２１６、２０４、４０３の先頭部分に同期引き込みパターン４０４、４０５、４０７、４０８、４０９をそれぞれ設けてもよい。形成する同期引き込みのパターンは、たとえば４Ｔマークおよび４Ｔスペースの繰り返しや、３Ｔマークおよび３Ｔスペースの繰り返し、２Ｔマークおよび２Ｔスペースの繰り返し、５Ｔマークおよび５Ｔスペースの繰り返しなどから構成されるものを用いることができる。
【００６２】
このような同期引き込みのパターンを設けることによって、光ディスク装置３００は、第１のコンテンツ１０３のブロック２１４を構成するデータを再生した後、未記録領域２１５に対応する期間直前のデータを維持する。そして、第２のコンテンツ１０５のブロック２１６を構成するデータを再生する際には、先頭に同期引き込みパターン２１６が設けられているため、速やかに第２のコンテンツ１０５を構成するデータから得られる二値化信号の同期引き込みを行うことができる。
【００６３】
また、ブロック４０１、２１４、４０２、４０３に設けられた同期引き込みパターン４０４、４０５、４０８、４０９は、トラック１０２上の傷等によりＰＬＬの同期引き込みが不安定になった場合に同期引き込みパターンを用いて速やかに引き込みを安定な状態へ復帰させることができる。
【００６４】
さらに第１のコンテンツ１０３の最終ブロック２１４の末尾にも同期引き込みパターン４０６を設けてもよい。これにより、未記録領域であるブロック２１５の前後に同期引き込みパターン４０６および４０７が配置される。その結果、二値化信号において、ブロック２１５に対応する信号の得られない期間の前後に同期引き込み用の信号領域が配置され、二値化信号の安定性をより高めることができる。
【００６５】
なお各ブロックの先頭に設ける同期引き込みパターン４０４、４０５などと、第１のコンテンツの終わりに設けるパターン４０６と、コンテンツの始端に設ける同期引き込みパターン４０７とでパターンの長さは異なっていてもよい。特に、第２のコンテンツ１０５の始まりに設ける同期引き込みパターン４０７は、その前に未記録領があるため、他のブロックの同期引き込みパターンよりも長くすることが望ましい。
【００６６】
また第１のコンテンツ１０３の終わりに設けるパターンは同期引き込みパターン以外のパターンであってもよい。第２のコンテンツ１０３の終端に設けるパターンを他のパターンと異ならせることによって、第１のコンテンツの終了を光ディスク装置に認識させることができる。
【００６７】
これまで説明してきた光ディスクでは、１ブロック分の未記録領域を設けていたが、未記録領域は１ブロックよりも短くてもよい。図６に示すように、第１のコンテンツ１０３の最終ブロック２１４と第２のコンテンツ１０５の先頭ブロック２１６とに挟まれるブロック２１５は、未記録領域２２０と、任意のダミーデータを示す記録マークが書き込まれたダミーデータ領域５０１および５０２とを含んでいる。ダミーデータは、ユーザデータおよびアドレスデータ以外のデータである。ダミーデータ領域５０１は第１のコンテンツ１０３の最終ブロック２１４に隣接しており、ダミーデータ領域５０２は、第２のコンテンツ１０５の先頭ブロック２１５に隣接している。
【００６８】
ダミーデータ領域５０１および５０２を構成する記録マークの形成によって第１のコンテンツ１０３および第２のコンテンツ１０５を構成する記録マークに影響を与えないよう、ダミーデータ領域５０１の記録は第１のコンテンツ１０３の記録に続いて行われることが好ましい。また、第２のコンテンツ１０５を追記する際、第２のコンテンツ１０５の記録に先立ってダミー領域５０２を記録することが好ましい。
【００６９】
つまり、第１のコンテンツ１０３を構成するデータとダミーデータ領域５０１に書き込まれるダミーデータを含む第１データ５２５をまず一度にトラック１０２に記録する。次に、ダミーデータ領域５０２に書き込まれるダミーデータと第２のコンテンツ１０５を構成するデータとを含む第２のデータ５２６を第１のデータが記録された領域との間に未記録領域２２０が形成されるようにトラック１０２に一度に追記する。これにより、ダミーデータ領域５０１および５０２の形成が、第１のコンテンツ１０３および第２のコンテンツ１０５を構成する記録マークに悪影響を与えたり、記録マークが重ね書きされることによりトラックの形状に影響を及ぼすことが避けられる。
【００７０】
ダミーデータ領域５０１および５０２は、それぞれセクタ２０６および２０９の全体を占めていてもよいし、一部を占めていてもよい。また、少なくとも１セクタの未記録領域が残るのであれば、ダミー領域の長さは２セクタ以上であってもよい。また、ダミー領域５０１の記録終了位置およびダミー領域５０２の記録開始位置が重ならないのであれば、未記録領域２２０は１セクタ以下であってもよい。
【００７１】
なお、ダミーデータ領域５０１およびダミーデータ領域５０２は同じブロック２１５に含まれるが、ダミーデータ領域５０１のデータとダミーデータ領域５０２のデータとは異なるタイミングで記録される。このため、ダミーデータ領域５０２のデータを記録する場合には、まず、記録済みのダミーデータ領域５０１のデータを再生し、記録済みのダミーデータ領域５０１のデータおよびダミーデータ領域５０２のデータとをあわせてエラー訂正符号を付加することが好ましい。
【００７２】
ダミーデータ領域５０１および５０２を形成することよって、２つのコンテンツ間の未記録領域２２０を短くすることができ、より安定したＰＬＬ動作を維持することができる。ダミーデータとして同期引き込みパターンを用いてもよい。ＰＬＬの安定動作のためには第２のコンテンツ１０５に隣接するダミーデータ領域５０２の長さを５０１よりもダミーデータ領域５０１よりも長くすることが望ましい。
【００７３】
なお本実施の形態では、２つのコンテンツの間に未記録領域を設けるとしているが、未記録領域にマークが記録されないのであれば、再生に用いるパワーより大きなパワーで記録してもよく、例えば消去パワーによる記録がされていてもよい。
【００７４】
（第２の実施形態）
本発明による第２の実施形態を説明する。図７Ａおよび図７Ｂは、第１のコンテンツ６０３および第２のコンテンツ６０５が記録された光ディスクの構造を模式的に示している。第１の実施形態と同様この光ディスクは追記型であり、記録すべきデータを構成する記録マークが形成されるらせん状のトラック６０２を含んでいる。また、光ディスクの内周側には情報管理領域が設けられている。
【００７５】
第１のコンテンツ６０３および第２のコンテンツ６０５はそれぞれ複数のブロックから構成され、各ブロックはさらに複数のセクタを含んでいる。また、各セクタの間には長さの等しいつなぎ領域がそれぞれ形成されている。
【００７６】
たとえば、第１のコンテンツ６０３および第２のコンテンツ６０５はそれぞれ、セクタ７０２〜７０５および７０６〜７０９を含み、セクタ７０４とセクタ７０５の間にはつなぎ領域７１２が形成されており、ブロック７０６とブロック７０７との間には、つなぎ領域７１６が形成されている。
【００７７】
第１のコンテンツ６０３の最終ブロック７１０と第２のコンテンツ６０５の先頭ブロック７１１との間、つまり、セクタ７０５とセクタ７０６との間にはつなぎ領域７１７が設けられている。
【００７８】
第１のコンテンツ６０３および第２のコンテンツ６０５に含まれるつなぎ領域には所定の信号が記録されている。たとえば、同期引き込みのための信号が記録されている。一方、第１のコンテンツ６０３と第２のコンテンツ６０５との間に位置するつなぎ領域７１７は、所定ダミーデータが記録されたダミーデータ領域７１３および７１５とダミーデータ領域７１３および７１５に挟まれた未記録領域７１４とを含んでいる。
【００７９】
ダミーデータ領域７１３は第１のコンテンツ６０３のセクタ７０５に隣接し、ダミーデータ領域７１５は第２のコンテンツ６０５のセクタ７０６に隣接している。ダミーデータ領域７１３および７１５には、単一周波数による繰り返しパターンや特性周期の繰り返しパターン、ユーザデータの記録には用いられないパターンなどユーザデータと区別することができ、検出が容易なデータが記録されていることが好ましい。検出が容易なデータをダミーデータ領域７１３および７１５に記録することにより容易に第１のコンテンツ６０３と第２のコンテンツ６０５との境界を見つけることができる。
【００８０】
このように、未記録領域７１４を設けることにより、第１のコンテンツ６０３を構成する記録マークと第２のコンテンツ６０５を構成する記録マークとが重ならず、過大な光照射量によるトラックの変形などを防止することができる。したがって、境界部分でのサーボ動作が不安定となることはなく、安定に記録再生を行うことができる。
【００８１】
ダミーデータ領域７１５に記録されるデータは同期引き込みのためのパターンであってもよい。これにより、第２のコンテンツに対応する信号を再生する際、同期引き込みのためのパターンを用いてＰＬＬの同期引き込みを行うことができ、安定して第２のコンテンツの再生を行うことができる。
【００８２】
また、ダミーデータ領域７１３とダミーデータ領域７１５とに記録される信号は異なっていてもよい。これにより、第１のコンテンツ６０３と第２のコンテンツ６０５との境界を見つけることができる。また、ダミーデータ領域７１３および７１５と未記録領域との両方を検出することによって、光ディスクに付着した埃などによる信号の欠落と２つのコンテンツの境目にある未記録領域とを区別することができる。
【００８３】
また、ダミーデータ領域７１３とダミーデータ領域７１５とに記録される信号の長さは異なっていてもよい。異なる長さにすることによって、ユーザデータにダミーデータ領域７１３またはダミーデータ領域７１５に記録された信号と同じ信号が含まれている場合でも、ダミーデータ領域７１３とダミーデータ領域７１５とに記録される信号の長さの違いから２つのコンテンツの境目と判断することができる。
【００８４】
なお、ダミーデータ領域７１５に記録されるデータには同期引き込みパターンが含まれる場合には、ダミーデータ領域７１５に記録される信号をダミーデータ領域７１３よりも長くすることが好ましい。このようにすることによって、第２のコンテンツに対応する信号を再生する際、同期引き込みのためのパターンを用いてＰＬＬの同期引き込みを行うことができ、安定して第２のコンテンツの再生を行うことができる。
【００８５】
本実施形態の記録方法は、第１の実施形態で説明した光ディスク装置３００を用いて行うことができる。以下、図２、図７Ａおよび図７Ｂを参照しながら光ディスク装置３００による記録および再生動作を説明する。
【００８６】
まず、第１のコンテンツ６０３を構成するデータとダミーデータ領域７１３に記録されるダミーデータとを含む第１データ７２５を光ディスクのトラック６０２に記録する。具体的には、第１のコンテンツ６０３を構成するデータを記録し、続けて、ダミーデータ領域７１３を構成するデータを記録する。この際、情報管理領域においてレーザパワーの校正を行い、記録が開始される。第１のコンテンツ６０３の記録が終了した後、第１のコンテンツの終了アドレスなどの情報が情報管理領域に記録されていてもよい。
【００８７】
次にダミーデータ領域７１５に記録されるダミーデータと第２のコンテンツ６０５を構成するデータとを含む第２データ７２６を光ディスクのトラック６０２に記録する。ホストＰＣ３１０よりＣＰＵ３０９に対して、第２データを記録するよう要求がなされると、サーボ制御部３０５は、光ヘッド３０３を要求のあったアドレスを有するセクタ付近にまで移動させる。この際、第１のコンテンツ６０３を記録した光ディスク装置と第２のコンテンツ６０５を記録する光ディスク装置が異なる場合には、第２のコンテンツを記録する前に、情報管理領域１１０において、レーザパワーの校正を行う。
【００８８】
デジタル信号処理部３０７は第２データを変調し、記録補償部３０８は、適切な記録マークとなるよう変調されたパルス信号の幅や位置を微調整する。第２のコンテンツ６０５を含む第２データを記録するためには記録を開始すべき位置を正確に知る必要がある。このために光ディスクに光を照射し、光ヘッド３０３および再生二値化部３０６によって反射光から得られる二値化信号を用いて第１のコンテンツ６０３およびダミーデータ領域７１３が記録された領域のアドレスを取得する。より具体的には、アドレスリードの処理を開始し、セクタ７０２、７０３、７０４、７０５を再生して、ウォブル情報からブロックアドレスを確定する。これにより、第１のコンテンツ６０３が記録された最終ブロック７１０の位置が確定する。
【００８９】
ＣＰＵ３０９は、第１のコンテンツ６０３を記録する際形成したダミーデータ領域７１３の後に未記録領域７１４を未記録のまま確保し、つなぎ領域７１７内のダミーデータ領域７１５に記録マークを形成し、続いて、セクタ７０６からデータの記録を開始する。
【００９０】
このとき光ヘッド３０３より出力される光ビームは、光ビーム制御部３０４によってＣＰＵ３０９の指示した所定量のパワー値に制御されている。また、記録補償部３０８で生成したデータに基づき、光ビームの照射パワーを変化させることによって、記録層の材料の光学特性を変化させ、所定の記録マークがトラック６０２上に形成される。セクタ７０６を記録した後、つなぎ領域７１６を形成し、以降セクタ７０７、つなぎ領域７１６、セクタ７０７・・・の順に所定のデータを記録し、第２のコンテンツ１０５の記録が終了する。第２のコンテンツ１０５の記録が終了した後、第２のコンテンツ１０５のアドレスに関する情報を情報管理領域に書き込んでもよい。
【００９１】
光ディスク１０１を再生する場合には、光ディスク装置３００は通常の再生専用光ディスクと同様に光ビームを照射し、光ディスクから得られる反射光による再生信号を光ヘッド３０３から得る。得られた再生信号は、再生二値化部３０６において、増幅、二値化処理され、二値化信号が生成される。このとき内部のＰＬＬ（図示せず）により、二値化信号に同期したクロックも生成される。得られた二値化信号は、第１のコンテンツを構成するデータと第２のコンテンツを構成するデータとの間に、光ディスク１０１の未記録領域１０９に対応するデータのない部分が存在する。このため、通常の再生専用光ディスクと同様の信号処理により再生を行おうとした場合、未記録領域をリードアウト領域と判断し、第２のコンテンツを構成するデータを再生せずに、再生を終了する可能性がある。
【００９２】
このため、第１の実施形態と同様、第１のコンテンツが終了した後、ＰＬＬにより生成したクロックを利用して、第２のコンテンツを構成するデータが得られるまで同期引き込み状態を維持する。ダミー領域７１３および７１５に記録されたダミーデータが同期引き込みパターンである場合には、未記録領域７１４に対応する信号のない領域の前後に同期引き込み信号が存在するため、より安定して再生を行うことができる。
【００９３】
以上のように本実施形態によれば、連続する２つのコンテンツの間に未記録領域を設けることにより、追記したコンテンツを構成する記録マークを形成する際に照射される熱によって既に記録されていたコンテンツを構成する記録マークが変形したり、トラックが変形することを抑制することができる。このため、記録されたデータを安定して再生することができる。
【００９４】
特に２つのコンテンツを記録する装置が異なる場合であっても、記録マークが重ね書きされることにより加わる熱が著しく過大となりトラックの変形を引き起こすという問題が生じることが解消される。
【００９５】
本実施の形態の記録方法は、同じ領域に２度記録することを想定していない、もしくは、２度目の記録で必ずデータが破壊される追記型の光ディスクにおいて特に効果を有する。本記録方法によれば、同じ領域に２度記録されることがない。このため、追記における記録条件等に制限されることなく、記録条件を設定することができるため、光ディスクの記録層の設計の自由度を大きくすることができる。また光ディスクを廃棄する際には、特にデータを重ね書きすることでサーボ動作を不安定にし、データを読み出せなくすることができる。これにより、機密を保持しながら廃棄することができる。
【００９６】
また、コンテンツ内の先頭ブロックもしくは最終ブロックを除けば、未記録領域と隣接するブロックは生じない。このため、コンテンツの切れ目を簡単に検出することができる。
【００９７】
また、未記録の領域を含むブロックにユーザデータが記録されていることにより、より有効に記録領域を使うことができる。
【００９８】
また、未記録領域を含むブロックにダミーデータを記録することにより、未記録領域の長さを短くし、より安定したＰＬＬ動作を保持することができる。さらにダミーデータを同期引き込みパターンとすることにより、より安定したＰＬＬ動作を保持することができる。
【００９９】
なお上記実施形態では、連続する２つのコンテンツの間に未記録領域を設けるとしているが、未記録領域はコンテンツの間に限らず、異なる記録装置によって記録されたデータの境界や、同一の装置において異なる機会に記録されたデータの境界であっても同様の効果が得られる。
【産業上の利用可能性】
【０１００】
本発明は、種々の波長の光源を用いて記録を行う光ディスク装置に好適に用いることが可能であり、特に、追記型光ディスクに記録を行うことのできる光ディスク装置に適している。
【図面の簡単な説明】
【０１０１】
【図１Ａ】従来の光ディスクにデータを追記する方法を説明する模式図である。
【図１Ｂ】従来の光ディスクにデータを追記する方法を説明する模式図である。
【図１Ｃ】従来の光ディスクにデータを追記する方法を説明する模式図である。
【図２】本発明による光ディスク装置の実施形態を説明するブロック図である。
【図３Ａ】本発明による記録方法の第１の実施形態を説明する模式図である。
【図３Ｂ】本発明による記録方法の第１の実施形態を説明する模式図である。
【図４】光ディスクに記録されるデータ構造を示す模式図である。
【図５】光ディスクに記録されるデータ構造の他の例を示す模式図である。
【図６】光ディスクに記録されるデータ構造の他の例を示す模式図である。
【図７Ａ】本発明による記録方法の第１の実施形態を説明する模式図である。
【図７Ｂ】本発明による記録方法の第１の実施形態を説明する模式図である。
【手続補正３】
【補正対象書類名】図面
【補正対象項目名】全図
【補正方法】変更
【補正の内容】
【図１Ａ】
2004095437.tif 000010
【図１Ｂ】
2004095437.tif 000011
【図１Ｃ】
2004095437.tif 000012
【図２】
2004095437.tif 000013
【図３Ａ】
2004095437.tif 000014
【図３Ｂ】
2004095437.tif 000015
【図４】
2004095437.tif 000016
【図５】
2004095437.tif 000017
【図６】
2004095437.tif 000018
【図７Ａ】
2004095437.tif 000019
【図７Ｂ】
2004095437.tif 000020
【国際調査報告】
2004095437.tif 000021
2004095437.tif 000022